(57)【特許請求の範囲】
【請求項１】
オーディオデータを無線配信するネットワークの複数のスピーカノードに前記オーディオデータのオーディオチャネルを割り当てる管理装置の割当方法であって、
前記複数のスピーカノードそれぞれに信号を送信させて、他のスピーカノードそれぞれにおける、前記信号の受信角度を示す角度情報を取得する取得ステップと、
前記取得した角度情報に基づき、前記複数のスピーカノードに前記オーディオチャネルを割り当てる割当ステップと、
前記取得した角度情報に基づき、特定のオーディオチャネルを割り当てる所定のスピーカノードを識別する識別ステップとを有し、
前記割当ステップは、前記所定のスピーカノードの前記角度情報に基づき、他のスピーカノードに対する前記オーディオチャネルの割り当てを行うことを特徴とするオーディオチャネルの割当方法。
【請求項２】
前記所定のスピーカノードは、オーディオシステムの対称軸上に位置することを特徴とする請求項1に記載されたオーディオチャネルの割当方法。
【請求項３】
さらに、前記対称軸上に複数のスピーカノードが位置する場合、前記対称軸上に位置するスピーカノードが送信する前記信号の前記管理装置による受信レベルを取得するステップを有し、
前記識別ステップは、前記取得した受信レベルに基づき前記所定のスピーカノードを識別することを特徴とする請求項2に記載されたオーディオチャネルの割当方法。
【請求項４】
前記オーディオチャネルはホームシネマシステムのオーディオチャネルであり、前記特定のオーディオチャネルは前記ホームシネマシステムのフロントセンタチャネルであることを特徴とする請求項1から請求項3の何れか一項に記載されたオーディオチャネルの割当方法。
【請求項５】
前記識別ステップは、前記角度情報の最大値と最小値の間の差分が最大のスピーカノードを前記所定のスピーカノードと識別することを特徴とする請求項1に記載されたオーディオチャネルの割当方法。
【請求項６】
前記識別ステップは、前記角度情報が、当該スピーカノードの音響放射軸に対して対称であるスピーカノードを判定し、前記判定の結果に基づき前記所定のスピーカノードを識別することを特徴とする請求項1に記載されたオーディオチャネルの割当方法。
【請求項７】
コンピュータ装置を制御して、請求項1から請求項6の何れか一項に記載されたオーディオチャネルの割当を実行させることを特徴とするコンピュータプログラム。
【請求項８】
オーディオデータを無線配信するネットワークの複数のスピーカノードに前記オーディオデータのオーディオチャネルを割り当てる管理装置であって、
前記複数のスピーカノードそれぞれに信号を送信させて、他のスピーカノードそれぞれにおける、前記信号の受信角度を示す角度情報を取得する取得手段と、
前記取得した角度情報に基づき、前記複数のスピーカノードに前記オーディオチャネルを割り当てる割当手段と、
前記取得した角度情報に基づき、特定のオーディオチャネルを割り当てる所定のスピーカノードを識別する識別手段とを有し、
前記割当手段は、前記所定のスピーカノードの前記角度情報に基づき、他のスピーカノードに対する前記オーディオチャネルの割り当てを行うことを特徴とする管理装置。
【請求項９】
前記所定のスピーカノードは、オーディオシステムの対称軸上に位置することを特徴とする請求項8に記載された管理装置。
【請求項１０】
さらに、前記対称軸上に複数のスピーカノードが位置する場合、前記対称軸上に位置するスピーカノードが送信する前記信号の前記管理装置による受信レベルを取得する手段を有し、
前記識別手段は、前記取得した受信レベルに基づき前記所定のスピーカノードを識別することを特徴とする請求項9に記載された管理装置。
【請求項１１】
前記オーディオチャネルはホームシネマシステムのオーディオチャネルであり、前記特定のオーディオチャネルは前記ホームシネマネットワークのフロントセンタチャネルであることを特徴とする請求項8から請求項10の何れか一項に記載された管理装置。
【請求項１２】
前記識別手段は、前記角度情報の最大値と最小値の間の差分が最大のスピーカノードを前記所定のスピーカノードと識別することを特徴とする請求項8に記載された管理装置。
【請求項１３】
前記識別手段は、前記角度情報が、当該スピーカの音響放射軸に対して対称であるスピーカノードを判定し、前記判定の結果に基づき前記所定のスピーカノードを識別することを特徴とする請求項8に記載された管理装置。
【発明の詳細な説明】
【技術分野】
【０００１】
本発明は、オーディオコンテンツを配信する無線ネットワークに関し、無線スピーカを備えるホームシネマシステムに関する。
【背景技術】
【０００２】
典型的な7.1型マルチチャネルホームシネマは、とくに、八個のスピーカに連結するマルチチャネルオーディオビデオアンプ（以下、AVアンプ）を備える。
【０００３】
例えば、AVアンプは、衛星、ケーブル、xDSL（ADSL技術などのxディジタル加入者回線技術）などを介して、DVDプレーヤ、ディジタルテレビジョンセットあるいはシンク端末（またはSTB (set top box)）などのソース端末から到来するディジタルオーディオコンテントを受信する。AVアンプとソース端末は、通常、SPDIF (Sony/Philips digital interface)、IEEE1394またはHDMI (high definition multimedia interface)規格に準拠するディジタルオーディオ（またはオーディオビデオ）インタフェイスによって相互接続される。
【０００４】
コンテントの受信後、AVアンプは、オーディオデータコンテントを復号し、復号したデータを異なるオーディオチャネルに分離(demultiplex)する。そして、ディジタル/アナログ変換（以下、D/A変換）を行い、最後に、連結する各スピーカに供給するために各オーディオチャネルのアナログ信号を増幅する。
【０００５】
7.1型ホームシネマネットワークの数字「7」は、FC (front center)スピーカとも呼ばれるC (center)スピーカ、並びに、FL (front left)、FR (front right)、SL (surround left)、SR (surround right)、RL (rear left)およびRR (rear right)の各スピーカを示す。スピーカは、通常、二線式のアナログケーブルによって、AVアンプの出力に接続される。数字「1」は、サブウーファまたはSWスピーカと呼ばれる特別なスピーカに確保されている。サブウーファは、通常、同軸アナログケーブルによって、AVアンプに接続される。サブウーファは、低周波数オーディオ信号の増幅と再生専用である。
【０００６】
AVアンプとスピーカを相互に接続する多数の嵩張るアナログケーブルの実装を避けるため、製造業者は、近年、無線ホームシネマネットワークを開発した。このホームシネマネットワークにおいて、オーディオ増幅段は、分散され（無線ホームシネマネットワークは、有線ネットワークのようなセンタAVアンプの実装を要求しない）、各スピーカに統合される。7.1無線ホームシネマネットワークは、以下、WSC (wireless surround controller)ノードと呼ぶ無線サラウンドコントローラノードと、WAS (wireless active speaker)ノードと呼ぶ第一から第八の無線アクティブスピーカを備える。
【０００７】
以下、用語WASノードは、増幅手段、無線通信手段、無線通信手段によって受信または送信される情報を処理する手段、並びに、場合によっては典型的なスピーカ（スピーカは、WASノードの外にあってもよい）の連合を意味する。
【０００８】
例えば、WSCノードは、衛星、ケーブル、xDSL技術などを介して、DVDプレーヤ、ディジタルテレビジョンセットまたは受信端末などのソース端末から到来するディジタルオーディオコンテントを受信する。WSCノードとソース端末は、通常、SPDIF、IEEE1394またはHDMI規格に準拠するディジタルオーディオ（またはオーディオビデオ）インタフェイスによって接続される。
【０００９】
コンテントの受信後、WSCノードはコンテントのオーディオデータを復号し、復号したデータを異なるオーディオチャネルに分離する。そして、無線ホームシネマネットワークを介して、各オーディオチャネルのオーディオデータを適切なWASノードへ送信する。この種の無線ホームシネマネットワークの無線通信手段は、典型的には、赤外型またはRF（無線周波数）型のリンクである。
【００１０】
各WASノードは、WSCノードから到来する、それ自体のオーディオチャネルに対応するディジタルオーディオデータを受信する。そして、D/A変換を実行し、オーディオ信号を増幅し、オーディオ信号を音響信号に変換する。
【００１１】
オーディオ機器に対する消費者の要求は、2スピーカハイファイステレオシステムから最大八個のスピーカを備えるマルチチャネルホームシネマシステムへ移った。有線システムの場合、スピーカ数の増加は、ユーザが接続エラーを犯すことを導き、その結果、オーディオチャネルが異なるスピーカに誤って割り当てられる事態になる。従来の有線ホームシネマネットワークにおけるオーディオチャネルの割り当ては、ユーザがスピーカの各ケーブルをアンプの適切な出力に接続することで行われる。
【００１２】
例えば、7.1型有線ホームシネマネットワークの場合、アンプは、各オーディオチャネル、つまりFL、FR、FC、SL、SR、RL、RRおよびSWチャネルの専用出力を備える。
【００１３】
7.1型有線ホームシネマネットワークを設置する場合、ユーザがスピーカケーブルとアンプの出力の接続を誤れば、7.1システムによって生じる音響効果は計画された効果を呈さない。
【００１４】
無線ホームシネマネットワークの場合、C、FL、FR、SL、SR、RL、RRおよびSWチャネルのスピーカ（またはWASノード）への割り当ては、異なる方法で行う必要がある。所定のオーディオチャネルのディジタルオーディオデータを適切なWASノードへ送信する前に、WSCノードは、適切なWASノードを予め識別する必要がある。
【００１５】
この識別を行う第一の可能な解決策は、製造時に、各WASノードに識別番号または名称を割り当てることである。ユーザは、ホームシネマネットワークを設置する際、製造業者の助言に従い、識別番号または名称に従って、各WASノードを部屋に配置する必要がある。システムがパワーオンされると、WSCノードは、オーディオチャネルと所定の識別番号または名称を関連付ける予め記録されたテーブルに従い、所定のオーディオチャネルのディジタルオーディオデータを適切なWASノードへ送信する。製造の観点からすれば、識別名称または番号を各WASノードに割り当てることは時間を要し、工場で実現するのは難しい。（一種類のWASノードの製造が極めて単純な場合、各WASノードへの識別番号または名称の割り当てと、適切なパッケージングを必要とする）。さらに、第一の解決策は、部屋にWASノードを設置する際に誤りを犯す可能性があるユーザの動作を必要とする。
【００１６】
第二の可能なアプローチは、システムをパワーオンする最初の動作の間に学習フェーズを実行することでる。学習フェーズにおいて、WSCノードは、典型的には、音響試験信号を現WASノードに送信する。その間、ユーザは、マンマシンインタフェイス（例えば、OSDやオンスクリーンディスプレイ）によって、現WASノードの位置に関する片情報(piece information)を現WASノードに割り当てる。そして、この動作は、WASノードごとに繰り返される。こうして、WSCノードは、WASノードがC、FL、FR、SL、SR、RL、RR、SWスピーカの何れかかを学習する。学習フェーズが完了すると、WSCノードは、各オーディオチャネル（つまり、C、FL、FR、SL、SR、RL、RRまたはSWチャネル）を適切なWASノードに割り当てること可能である。第二のアプローチは、ユーザの動作と特定のマンマシンインタフェイスの使用を必要とし、満足できるとは言えない。さらに、第二のアプローチによれば、学習フェーズの間にユーザが割り当てを誤る可能性がある。
【００１７】
Philips（登録商標）Electronics North America Corporationによる、米国特許出願公開第2005/141724A1号明細書は、電灯線ネットワーク技術に基づくホームシネマネットワークに実装される第三のアプローチを記載する。このホームシネマネットワークは、無線ホームシネマネットワーク（増幅段は各スピーカに分散され、各スピーカはアンプの出力に非接続）に喩えられる。そして、このホームシネマネットワークの各スピーカは、GPSである組込型位置センサを有し、その位置を判定し、判定した位置を（電灯線ネットワークを介して）WSCノードへ送信する。しかし、電力線ネットワーク技術に基づく第三のアプローチは、各スピーカに位置センサを組み込む必要があり、スペースを消費する高価な解決策になる。さらに、測定位置に関するGPSの精度を欠くと、オーディオチャネルとスピーカの割り当てを誤るリスクが高まる。最後に、家の壁と家具は、とくに、衛星とスピーカに組み込まれたGPSユニットの間の通信に悪影響する場合がある。
【発明の開示】
【発明が解決しようとする課題】
【００１８】
少なくとも一つの実施例における発明は、とくに、従来の技術の欠点の克服を目指す。
【００１９】
とくに、実施例の少なくとも一つにおける発明は、複数のスピーカノード（つまり、スピーカを備えるか、スピーカに連結するノード）を備えるオーディオコンテンツを配信する無線ネットワーク（以下、配信ネットワーク）において、次を目的とする。スピーカノードのスピーカ、または、スピーカノードに連結するスピーカへのオーディオチャネルの割り当てを可能にする。かつ、ユーザの動作を必要としない技術を提供する。
【００２０】
また、実施例の少なくとも一つにおける発明は、厳密に同一であり、従って互換性があるスピーカノードの使用を可能にする、この種の技術を実現することを他の目的とする。
【００２１】
さらに、実施例の少なくとも一つにおける発明は、単純に実装でき、低コストである、この種の技術を実現することを他の目的とする。
【課題を解決するための手段】
【００２２】
本発明の特定の実施例は、次の方法を提案する。つまり、配信ネットワークの拡散ノードによりオーディオデータコンテントを拡散するコンテキストの中で、オーディオデータコンテントの複数のオーディオチャネルを、配信ネットワークの各スピーカノードに関連する複数のスピーカに割り当てる方法である。この方法は、配信ネットワークの管理ノードによって実現される。
【００２３】
本発明によれば、割当方法は、第一のスピーカノードごとに次のステップを備える。第一のスピーカノードを除く第二のスピーカノードそれぞれについて、配信ネットワークを介して、第二のスピーカノードが送信するデータの受信に適合する第一のスピーカノードの受信アンテナの指向に関する片情報(piece information on orientation)を取得する。取得した指向に関する片情報の関数として、複数のオーディオチャネルの一つを割り当てる。
【００２４】
本発明の一般的な原理は、配信ネットワークの各スピーカノード（一つのスピーカを備えるか関連する）のアンテナがネットワークの他のスピーカノードそれぞれが送信するデータの受信に適合するときのアンテナの指向に関する情報の取得に基づく。そして、これらの片情報は、配信ネットワークのスピーカノードの（または、スピーカノードに関連する）スピーカにオーディオチャネルを割り当てるために使用される。実際、取得されたアンテナの指向に関する情報は、ネットワークのスピーカノードのスピーカの相対位置を判定するのに使用される。従って、ネットワークの判定されたスピーカノード（とくに、そのスピーカ）には、判定されたオーディオチャネルが割り当てられる。
【００２５】
従って、本発明は、ユーザの動作を必要とせずに、オーディオチャネルをスピーカノードに割り当てる技術を提供する。
【００２６】
さらに、実施例の少なくとも一つにおける発明は、厳密に同一であるため入れ替え可能な(interchangeable)スピーカノードの使用を可能にする。
【００２７】
割当方法は、さらに、次のステップを備えることが好ましい。被識別オーディオチャネルと呼ぶオーディオチャネルの一つが、取得した指向に関する情報の関数として割り当てられるべき、被識別スピーカノードと呼ぶスピーカノードの一つを識別する第一の識別。被識別スピーカノードを除く各スピーカノードについて、取得した指向に関する片情報と被識別スピーカノードに依存して、オーディオチャネルの一つを割り当てるべきスピーカノードを識別する第二の識別。
【００２８】
従って、第一の識別の実行後、未識別のスピーカノードの数は限られるため、第二の識別はより容易に実行される。
【００２９】
被識別スピーカノードは、配信ネットワークの対称軸上に配置すると有利である。
【００３０】
従って、対称軸が存在するため、第一の識別の実現は容易である。
【００３１】
幾つかのスピーカノードが配信ネットワークの対称軸上に位置する場合、割当方法は次のステップを備えることが好ましい。つまり、対称軸上に位置するスピーカノードごとに、対称軸上に位置するスピーカノードが送信するデータの受信レベルを示すパラメータを管理ノードによって取得する。そして、管理ノードは、取得したパラメータに依存して第一の識別ステップを実行する。
【００３２】
従って、被識別スピーカノードは、管理ノードによる受信レベルの基準を用いて取得される。本来、本発明のコンテキストにおいて、対称軸上のノードから一つのノードを選択する他の任意の技術が実現されてもよい。
【００３３】
配信ネットワークはホームシネマ型のネットワークであり、被識別スピーカはホームシネマネットワークのFCチャネルを復元（再生）(restitute)すべきスピーカに関連するスピーカノードであることが好ましい。
【００３４】
各スピーカノードについて、次が有利である。スピーカノードの受信アンテナは、輻射パターンが輻射軸に沿う方向を向く指向性アンテナ。第二のスピーカノードが送信するデータの受信に適合する、第一のスピーカノードの受信アンテナの指向に関する片情報は、受信アンテナの輻射軸と所定角度の基準軸によって形成される角度。第一の識別ステップは、スピーカノードごとに取得された角度から、符号付き最大角度値と符号付き最小角度値の間の差が最大のスピーカノードを判定するサブステップを備える。
【００３５】
実際、ITU-R BS.775-2規格とDolby（登録商標）Laboratoriesの推奨に従えば、ホームシネマシステムのFCチャネルを復元すべきスピーカは、隣接するスピーカ、つまりホームシネマシステムのFLとFRチャネルを復元すべきスピーカと最大の角度差をもつ。本発明によれば、ホームシネマシステムのFLとFRチャネルを復元（再生）すべきスピーカと関連するスピーカノードを識別することができる。このスピーカノードは、受信アンテナの指向の符号付き最大角度値と符号付き最小角度値の間に最大差を有する。
【００３６】
各スピーカノードについて、次が好ましい。スピーカノードの受信アンテナは、輻射パターンが輻射軸に沿う方向を向く指向性アンテナ。第二のスピーカノードが送信するデータの受信に適合する、第一のスピーカノードの受信アンテナの指向に関する片情報は、受信アンテナの輻射軸と、それに関連するスピーカの音拡散軸(axis of sound diffusion)によって形成される角度。第一の識別ステップは、スピーカノードごとに取得した角度から、取得した角度が、スピーカノードに関連するスピーカの音拡散軸に関してほぼ対称であるスピーカノードを判定するサブステップを備える。
【００３７】
実際、ITU-R BS.775-2規格とDolby（登録商標）Laboratoriesの推奨に従えば、ホームシネマシステムのFCチャネルを復元（再生）すべきスピーカは、ホームシネマシステムの対称軸上に配置される。本発明によれば、FCチャネルを復元（再生）すべきスピーカが関連するスピーカノードを識別することができる。そのスピーカノードの受信アンテナの受信角度は、そのスピーカの音拡散軸に関してほぼ対称である。
【００３８】
また、本発明は、通信ネットワークからダウンロードが可能な、および/または、コンピュータが読み取り可能なキャリアに記録される、および/または、プロセッサにより実行可能な、コンピュータプログラム製品に関連する。このコンピュータプログラム製品は、上述した割当方法を実現するプログラムコード命令を備える。
【００３９】
また、本発明は、場合により全体または一部が取り外し可能で、かつ、上述した割当方法を実現する、コンピュータにより実行可能な命令の集合を格納する、コンピュータが読み取り可能な格納手段に関する。
【００４０】
また、本発明は、配信ネットワークの管理ノードに関する。管理ノードは、配信ネットワークの拡散ノードによりオーディオデータコンテントを拡散する状況の中で、オーディオデータコンテントの複数のオーディオチャネルを、配信ネットワークの各スピーカノードに関連する複数のスピーカに割り当てる手段を備える。
【００４１】
本発明によれば、複数のオーディオチャネルを割り当てる手段は、第一のスピーカノードごとに以下を備える。第一のスピーカノードを除く第二のスピーカノードそれぞれについて、配信ネットワークを介して、第二のスピーカノードが送信するデータの受信に適合する第一のスピーカノードの受信アンテナの指向に関する片情報を取得する手段。取得した指向に関する片情報の関数として、複数のオーディオチャネルの一つを割り当てる手段。
【００４２】
コンピュータプログラム製品、格納手段および管理ノードの利点は、上述した割当方法の利点とほぼ同じであり、以下で再び説明することはない。
【００４３】
複数のオーディオチャネルを割り当てる手段は、さらに、次を備えることが好ましい。被識別オーディオチャネルと呼ぶオーディオチャネルの一つが、取得した指向に関する情報の関数として割り当てられるべき、被識別スピーカノードと呼ぶスピーカノードの一つを識別する第一の手段。被識別スピーカノードを除く各スピーカノードについて、取得した指向に関する片情報と被識別スピーカノードに依存して、オーディオチャネルの一つを割り当てるべきスピーカノードを識別する第二の手段。
【００４４】
被識別スピーカノードは、配信ネットワークの対称軸上に配置すると有利である。
【００４５】
複数のオーディオチャネルを割り当てる手段は、次の手段を備えることが好ましい。対称軸上に位置するスピーカノードごとに、対称軸上に位置するスピーカノードが送信するデータの受信レベルを示すパラメータを管理ノードによって取得する手段。取得手段は、幾つかのスピーカノードが対称軸上に位置する場合に活性化される。第一の識別手段は、取得したパラメータを考慮して活性化される。
【００４６】
本発明の有利な特性によれば、配信ネットワークはホームシネマネットワークであり、被識別スピーカは、ホームシネマネットワークのFCチャネルを復元（再生）すべきスピーカに関連するスピーカノードである。
【００４７】
各スピーカノードについて、次が有利である。スピーカノードの受信アンテナは、輻射パターンが輻射軸に沿う方向を向く指向性アンテナ。第二のスピーカノードが送信するデータの受信に適合する、第一のスピーカノードの受信アンテナの指向に関する片情報は、受信アンテナの輻射軸と所定角度の基準軸によって形成される角度。第一の識別手段は、スピーカノードごとに取得した角度から、符号付き最大角度値と符号付き最小角度値の間の差分が最大のスピーカノードを判定する手段を備える。
【００４８】
各スピーカノードについて、次が好ましい。スピーカノードの受信アンテナは輻射パターンが輻射軸に沿う方向を向く指向性アンテナ。第二のスピーカノードが送信するデータの受信に適合する、第一のスピーカノードの受信アンテナの指向に関する片情報は、受信アンテナの輻射軸と、それに関連するスピーカの音拡散軸によって形成される角度。第一の識別手段は、スピーカノードごとに取得した角度から、取得した角度が、スピーカノードに関連するスピーカの音拡散軸に対してほぼ対称であるスピーカノードを判定する手段を備える。
【００４９】
本発明の他の特徴および利点は、限定しない例として与えられる本発明の好適な実施例の以下の説明と、添付する図面から明らかになるだろう。
【発明を実施するための最良の形態】
【００５０】
本発明の特定の実施例に従う割当方法の特定のアプリケーションに従い、図1に示す7.1型無線ホームシネマまたはホームシアタネットワークのコンテキストにおいて、以下の説明を行う。当然、本発明は、5.1型ホームシネマネットワークなど、任意の無線ホームシネマネットワークのコンテキストにも適用可能である。
【００５１】
当然、本発明の他の少なくとも一つの実施例に従う割当方法は、適切な片情報をノードに送信するために、ネットワークのノードを識別する必要がある任意の配信ネットワークにも実装可能である。
【００５２】
例えば、7.1型無線ホームシネマネットワークは住宅の一室に設置される。そして、オーディオビデオソース端末50（例えば、DVDプレーヤ、Blu-rayプレーヤまたはHD-DVDプレーヤ）、テレビ画面（不図示）、無線臨場感(ambience)（サラウンド）コントローラ900を備える。以下、無線臨場感（サラウンド）コントローラ900は、無線ネットワークを介して、第一から第八の無線アクティブスピーカ100、200、300、400、500、600、700、800と接続される、WSCノードとして示される。また、無線アクティブスピーカ100、200、300、400、500、600、700、800は、WASノードとして示される。
【００５３】
無線ネットワークは、次を可能にする。WSCノード900が、復元（再生）すべきオーディオチャネルのデータを各WASノードへ送信すること。（例えば、図3を参照して後述する発見フェーズ中に）WSCノード900が、コマンドを各WASノードへ送信すること。WASノードが、データ受信アクノリッジをWSCノード900へ送信すること。これら送信動作を実行するために、ネットワークの各ノードは、調節可能なRF信号受信アンテナを有する。
【００５４】
各WASノードは、FL、FR、FCとも呼ばれるC、SL、SR、RL、RRおよびSWチャネルの一つのオーディオチャネルを拡散するスピーカを備える（または、そのスピーカに関連する）。
【００５５】
SW（またはサブウーファ）チャネルは、サブウーファを備え（または、サブウーファに関連し）、かつ、他のWASノード100〜700と容易に区別されるWASノード800に割り当てられる。従って、上述した特定のアプリケーションのコンテキストにおいて、WASノード800の識別と、WASノード800へのSWチャネルの割り当ては事前に行われる。本発明の特定の実施例に従う割当方法は、第一のWASノード100から第七のWASノード700においてのみ実現される。
【００５６】
ソース端末50は、ディジタルオーディオビデオ（またはオーディオ）インタフェイス51を介して、各オーディオチャネルに関するディジタルオーディオデータをWSCノード900に送信する。インタフェイス51は、例えばSPDIF、IEEE1394またはHDMI規格の一つに準拠する。
【００５７】
WSCノード900において、各オーディオチャネルのディジタルオーディオデータは、マルチチャネルオーディオ復号器905に受信され処理される。マルチチャネルオーディオ復号器905は、通常、例えばドルビー（登録商標）ディジタルフォーマットまたはDTS (Digital Theatre Sound)フォーマットに事前に符号化された、5.1システムの六つのチャネルのディジタルオーディオデータを復号し伸長することが可能である。また、例えば「Dorby（登録商標）True HD」（HDはhigh-definitionの意）フォーマットまたはDTS HD（Digital Theater Sound High Definition）フォーマットに事前に符号化された、7.1システムの八つのチャネルのディジタルオーディオデータを復号し伸長することができる。
【００５８】
マルチチャネルオーディオ復号器905は、ディジタルオーディオデータを復号し伸長するとともに、オーディオチャネルを分離する。RAM908は、マルチチャネルオーディオ復号器905によって復号タスクを実行するために使用される。また、マルチチャネルオーディオ復号器905には、オーディオチャネルに遅延を与えるか、（例えば、等化のコンテキストにおいて）オーディオチャネルに音響効果を与える、オーディオDSP (digital signal processor)を実装可能である。そして、マルチチャネルオーディオ復号器905は、各オーディオチャネルのオーディオデータをベースバンドRFモジュール（以下、BB-RFモジュール）904に送信する。
【００５９】
BB-RFモジュール904は、各オーディオチャネルのオーディオデータをフレームに挿入する。フレームは、一般に、次から構成される。例えばフレーム番号のようなプロトコル情報の全体をグループ化するヘッダ。特定のオーディオチャネルが割り当てられたWASノードに対応する識別番号。例えばCRC (cyclic redundancy check)のような誤り訂正情報の全体をグループ化するフレーム終了フィールド。
【００６０】
そして、フレームは、変調され、フレームをRFチャネルに送り出すフロントエンドRFモジュール（以下、FE-RFモジュール）903に送信される。FE-RFモジュール903は、フレームのD/A変換と増幅を行い、送信アンテナ902を使用してRFチャネル、例えば60GHzのRFチャネルへフレームを送信する。
【００６１】
また、WSCノード900は、受信アンテナ901の手段により、各WASノードから到来するRFデータの受信に適応する。従って、受信において、FE-RFモジュール903は、RFチャネル、例えば60GHzのRFチャネルのフレームを受信し増幅して、フレームのD/A変換を行う。そして、FE-RFモジュール903は、フレームをBB-RFモジュール904に送信する。BB-RFモジュール904は、WASノードから到来する各フレームからペイロードを抽出する。ペイロードは、例えば受信アクノリッジ、（図2A〜5を参照して後述する）アンテナ角度のデータ、あるいは、任意の制御情報または状態情報である。
【００６２】
WSCノード900は、本発明を実現する一つ以上のソフトウェアプログラムを使用するマイクロコントローラ907を備える。マイクロコントローラ907は、マルチチャネルオーディオ復号器905、BB-RFモジュール904およびFE-RFモジュール903との通信、並びに、それらの制御に適応する。RAM908は、異なるタスクを成し遂げるのに必要な一時データを格納するために、マイクロコントローラ907により使用される。EEPROM（またはFLASH）型のメモリ906は、WSCノード900のハードウェア識別子（またはシリアル番号）を格納する。さらに、ユーザデータ、WASノードの総数とそれらの識別子、各WASノードに割り当てられたオーディオチャネル、および、アンテナ角度テーブルなど、異なる種類の情報を格納する。
【００６３】
WSCノード900から送信されたフレームは、WASノード100〜800に受信される。以下では、WASノード100を詳細に説明し、WASノード100と類似するWASノード200〜700の説明は行わない。WASノード800は、WASノード100〜700とは非常に異なる形状を有するが、その内部構造は、オーディオ再生段の一部が異なることを除き、他のWASノード100〜700の内部構造と類似する。WASノード800のオーディオ再生段は、アンプ806、フィルタ807、および、通常20Hz〜100Hzの範囲の低周波数のオーディオ信号の再生専用であるスピーカ808を備える。低周波数のオーディオ信号は指向性をもたず、WASノード800の位置はとくに重要ではない。サブウーファ800は、他のWASノードとは異なる。（サブウーファ800は別途作製され、それ故、別のWASノードに置き換わること、または、別のWASノードが置き換わることはできない。）とくに、サブウーファ800は、EEPROM（またはFLASH）型のメモリ811に記録された特定のハードウェア識別子（またはシリアル番号）を有する。従って、WSCノード900は、特定のハードウェア識別子を使用して、SW（サブウーファ）オーディオチャネルをWASノード800に容易に割り当てることができる。
【００６４】
例えば、WASノード100は、受信アンテナ101を介して、WSCノード900が送信したフレームを受信する。受信アンテナ101に受信されたフレームは、WASノード100のFE-RFモジュール103へ送信される。FE-RFモジュール103は、RFチャネル、例えば60GHzのRFチャネルから到来するフレームを受信し、受信したフレームを増幅し、受信したフレームのD/A変換を行う。そして、FE-RFモジュール103は、フレームをBB-RFモジュール104へ送信する。BB-RFモジュール104は、フレームをフィルタリングして、WASノード100に割り当てられたチャネルに対応する識別番号を含む（WASノード100の識別子を含む）フレームのみを保持し、他のフレームを廃棄する。そして、BB-RFモジュール104は、保持したフレームを処理して、フレームからペイロードオーディオデータを抽出する。この機構を介して、WASノード100に割り当てられたオーディオチャネルに対応するオーディオデータのみがWASノード100のD/A変換器105に入力される。D/A変換器105は、オーディオデータのD/A変換を行い、アナログオーディオ信号をアンプ106に供給する。通常、このアナログオーディオ信号の周波数スペクトルは100Hz〜20kHzの範囲である。アンプ106による増幅後、増幅されたアナログオーディオ信号は、フィルタ107を介して、WASノード100のスピーカ108に供給される。スピーカ108は、アナログオーディオ信号を音響信号に変換する。
【００６５】
また、WASノード100は、送信アンテナ102の手段により、WSCノード900へのRFデータの送信に適応する。WSCノード900のBB-RFモジュール904は、WASノードから到来する各フレームからペイロードを抽出する。ペイロードは、例えば受信アクノリッジ、（図2A〜5を参照して後述する）アンテナ角度のデータ、あるいは、任意の制御情報または状態情報である。
【００６６】
WASノード100は、本発明を実現する一つ以上のソフトウェアプログラムを使用するマイクロコントローラ109を備える。マイクロコントローラ109は、D/A変換器105、BB-RFモジュール104およびFE-RFモジュール103との通信、および、それらの制御に適応する。RAM110は、異なるタスクを成し遂げるのに必要な一時データを格納するために、マイクロコントローラ109により使用される。EEPROM（またはFLASH）型のメモリ111は、WASノード100のハードウェア識別子（またはシリアル番号）を格納する。さらに、ユーザデータ、WASノードの総数とそれらの識別子、各WASノードに割り当てられたオーディオチャネル、および、アンテナ角度テーブルなど、異なる種類の情報を格納する。
【００６７】
アプリケーション、例えばオーディオアプリケーションc0である、WSCノードを介する、7.1型無線ホームシネマネットワークにおける配信のコンテキストおいて、以下の説明を行う。
【００６８】
本発明に従う（とくに、図3を参照して後述する発見フェーズを備える）割当方法は、（後述する複数のアルゴリズムを備える）ソフトウェアプログラムおよび/または複数のソフトウェアサブプログラムの形態で実装される。それらプログラムは、7.1型ホームシネマネットワークの幾つかの機械、例えばWSCノード900とWASノード100〜800によって実行される。
【００６９】
図5を参照して後述する識別と割り当てアルゴリズムは、（本発明において理解されるように管理ノードである）WSCノード900に実装される。しかし、本発明の他の実施例において、このアルゴリズムを、ネットワークの他の任意のノードまたは装置、例えばWASノードに実装してもよい。
【００７０】
さらに、ネットワークのWASノードとWSCノード900の間の通信が60GHzのRFチャネルを介して行われる場合を参照し、説明することが好ましい。何故ならば、そのようなチャネルは以下の利点を有する。
・ネットワークが設置された部屋の壁からの反射を最小にする、
・高いビットレートを有する。
【００７１】
しかし、そのようなチャネルは、情報の送信距離を制限する欠点がある。送信距離の制限の問題を解決するために、本発明の割当方法の特定のアプリケーションのコンテキストにおいては、各ノードであるWSCノード900とWASノード100〜800の受信アンテナの輻射パターンを狭く（指向性アンテナ）、調節可能に選ぶ。（なお、輻射パターンの調整は、図2A、2Bを参照して後述する。）従って、WSCノード900とWASノード100〜800はそれぞれ、その端に、指向性を有し、かつ、輻射パターンの方向がチューン可能な(tunable)受信アンテナを備える（つまり、アンテナが調節可能）。
【００７２】
例えば、上述した（受信と送信における）アンテナは、指向が制御される指向性アンテナを形成するように、位相と振幅において制御される輻射素子のネットワークから構成される電磁アンテナである。
【００７３】
図2A、2Bを参照して、本発明の特定の実施例に従うWASノード100の、送信アンテナの送信輻射パターン（図2A）と、受信アンテナの受信輻射パターン（図2B）を説明する。
【００７４】
WASノード200〜700の送信および受信アンテナは、WASノード100の送信および受信アンテナと同一であり、説明は行わない。
【００７５】
図2Aは、RFデータを送信する場合のWASノード100の平面図である。WASノード100の送信アンテナ102から到来する送信輻射パターン152を説明する。送信輻射パターン152は、スピーカ108が再生する音響信号の向きと同一の方向に合わせられる。送信アンテナ102は、60GHzのRF信号を送信するように設計される。送信アンテナ102は、ネットワークの最大数のノード（WASとWSC）に到達可能なように、ワイドな送信輻射パターンを有する。
【００７６】
図2Bは、RFデータを受信する場合のWASノード100の平面図である。WASノード100の受信アンテナ101は、受信輻射パターン151が輻射軸に沿う方向に向く指向性アンテナである。輻射軸とアンテナ角度基準軸141（WASノード100に特有、WASノードはそれぞれアンテナ角度基準軸を有する）によって形成される三つのアンテナ角度について、受信輻射パターン151を説明する。アンテナ角度基準軸141は、WASノード100のスピーカのメンブレン(membrane)面に含まれ、かつ、図2Bの左側を向く。
【００７７】
受信アンテナ101は、60GHzのRF信号を受信するように設計される。受信アンテナ101は、狭く（指向性アンテナ）、かつ、調節可能（輻射パターンの向きが調節可能）な受信輻射パターン151を形成するために、典型的なビーム形成技術を使用する。
【００７８】
このビーム形成技術は受信アンテナ101の利得を向上するために使用され、それによって、ネットワークのノード間の最大送信距離に到達する。
【００７９】
受信アンテナ101は、FE-RFモジュール103により位相と振幅が電気的に制御される輻射素子のネットワークから構成される電磁アンテナである。これは、-15度から195度のアンテナ角度の間で、受信輻射パターン151を1度単位に合わせる指向性受信アンテナを得るためである。
【００８０】
受信輻射パターン151の角度（とくに、受信輻射パターンの輻射軸とアンテナ角度基準軸141が形成する角度）は精密に調節され、最適な角度を発見する。これは、WASノード100へデータを送信すべき、ネットワークの所定ノードが送信するデータの受信に受信アンテナ101を適応させるためである。従って、WASノード100は、所定ノードから到来するデータの受信に最適な角度をEEPROM（またはFLASH）型のメモリ111に記録することができる。
【００８１】
図3は、上述した7.1型無線ホームシネマネットワークにおけるWASノード100〜800およびWSCノード900の模範的な配置と、本発明の特定の実施例に従う発見フェーズを説明する図である。
【００８２】
WASノード100〜700と、それらに関連するスピーカは、ITU-RBS. 775-2規格の推奨に準拠してネットワーク上に配置される。従って、とくにWASノード100〜700と、それらに関連するスピーカは、リスナ位置64から等距離、かつ、2m〜4mの半径を有する仮想円65上に配置される。
【００８３】
WASノードに関連するスピーカは、そのWASノードに含めることが好ましい。そうして、WASノードと関連するスピーカの双方がITU-RBS. 775-2規格の推奨に準拠して設置されることを保証する。WASノードに関連するスピーカが、そのWASノードに含まれない場合、そのWASノードは、それに関連するスピーカの上方または下方に設置される。以下の説明において、WASノードに関連するスピーカは、そのWASノードに閉込められている(conclude)と考慮する。
【００８４】
WASノード100〜700は、仮想円65上の、Dolby（登録商標）Laboratoriesの推奨に従う角度位置に配置される。従って、とくに7.1システムにおいては、チャネルCを復元（再生）すべきスピーカを備えるか、そのようなスピーカに関連するWASノード200は、リスナ位置64に対向する、ほぼ0度の基準角度位置の設置角度ゾーン60内に設置される。（基準角度位置から仮想円65上の進行は時計回りである。）チャネルFRを復元（再生）すべきスピーカを備えるWASノード300は、基準角度位置に対して22度〜30度の範囲の設置角度ゾーン61内に設置される。チャネルSRを復元（再生）すべきスピーカを備えるWASノード500は、基準角度位置に対して90度〜110度の範囲の設置角度ゾーン62内に設置される。チャネルRRを復元（再生）すべきスピーカを備えるWASノード700は、基準角度位置に対して135度〜150度の範囲の設置角度ゾーン63内に設置される。
【００８５】
FL、SL、RLチャネルを復元（再生）すべきスピーカを備える他のWASノード100、400、600は、WASノード200とリスナ位置64を通る対称軸に対して、WASノード300、500、700と実質的に対称なノードになるように設置される。実際、厳密に言えば、一般にFL、SL、RLチャネルを復元（再生）すべきスピーカを備えるWASノード100、400、600は、対称軸に対して、WASノード300、500、700と対称なノードではない。ある程度の角度の許容範囲がITU-RBS. 775-2規格とDolby（登録商標）Laboratoriesの推奨に適用されるとともに、ホームシネマシステムにおけるオーディオコンテントに矛盾しない空間拡散に従ってもよい。この余裕（ネットワークで動作する受信アンテナの他の指向角度に対して無視できると考えられる）を除けば、WASノード100、400、600は、対称軸に対して、WASノード300、500、700と対称なノードである。
【００８６】
サブウーファを備えるWASノード800は、その位置がとくに重要ではないため、上述した規格および推奨に関係しない。7.1型無線ホームシネマネットワークの初期化において、WSCノード900は、特定のハードウェア識別子（またはシリアル番号）を介して、WASノード800を他のWASノード100〜700から区別する。従って、SWオーディオチャネルは、WSCノード900によって、WASノード800に割り当てられる。
【００８７】
7.1型無線ホームシネマネットワークの初期化において、WASノード100〜700は同一である（同一形状と同一内部構造をもつ）から、WSCノード900は、それらを直接区別することができない。WASノード100〜700は、オーディオチャネルC、FR、FL、SR、SL、RR、RLの何れか一つに割り当てられる。従って、オーディオチャネルC、FR、FL、SR、SL、RR、RLを適切なWASノードに割り当てるには、WASノードの、空間における配置（位置）によって規定される役割に従い、WASノードを識別する必要がある。
【００８８】
以下では、7.1型無線ホームシネマネットワークの初期化直後の、ネットワークに実装されたWASノード100〜700に関する発見フェーズを説明する。
【００８９】
発見フェーズは、WASノード100〜700を擬似ランダムシーケンス順に一つずつ動作させる。従って、WASノード100〜700は、擬似ランダムシーケンスによって定義されるスケジュールに従い、ネットワークに対して連続的に送信を行う。
【００９０】
例えば、WASノード200は、擬似ランダムシーケンスにおいて一番目である。従って、WASノード200は、他のWASノード100、300、400、500、600、700が後述する受信輻射パターンをマッチングするステップの実行に充分な所定持続期間のRF試験信号を送信する。（図3には、試験信号を送信する場合のWASノード200の送信輻射パターン252が示されている。）
【００９１】
RF試験信号の送信中、他のWASノード100、300、400、500、600、700は受信モードである。他のWASノード100、300、400、500、600、700は、WASノード200が送信するデータの受信に受信アンテナが適合する、最適なアンテナ角度を発見するために、受信輻射パターンの角度を調節する。
【００９２】
最適なアンテナ角度を発見次第、他のWASノード100、300、400、500、600、700は、そのアンテナ角度をEEPROM（またはFLASH）型のメモリに格納する。図3に示す、WASノード100、300、400、500、600、700の受信輻射パターン151、351、451、551、651、751は、WASノード200がRF試験信号を送信する場合の受信輻射パターンの最適な角度を示す。
【００９３】
従って、例えばWASノード100は、WASノード200の送信に関連する-14度の角度値を格納し、…、WASノード700は、WASノード200の送信に関連する76度の角度値を格納する。
【００９４】
そして、他のWASノード100、300、400、500、600、700は、擬似ランダムシーケンスに従い、順次、ネットワークに対してRF試験信号を送信する。他のWASノードは、各WASノードがRF試験信号を送信する場合に最適な角度値を取得し格納することができる。
【００９５】
WASノード100〜700の発見フェーズの一つの変形例において、WASノードは擬似ランダムRFシーケンスで送信を行い、各WASノードはハードウェア識別子（またはシリアル番号）を送信する。そして、WSCノード900は、ネットワークに存在するWASノードの識別子を収集し、識別子を収集し終わると、決定したシーケンスで、所定期間中にRF試験信号を送信するように各WASノードに命令する。そして、上述した方法に従い、各WASノードは、他のWASノードがRF試験信号を送信する場合に最適な受信輻射パターンの角度値を取得し格納することができる。
【００９６】
その後、WASノード100〜700それぞれが試験信号を送信し、かつ、他のノードが角度値を格納し次第、各WASノードは、取得し格納した角度値をWSCノード900へ送信する。そして、WSCノード900は、角度値に基づき、図4A、4Bを参照して後述する角度テーブルを作成する。
【００９７】
図4A、4Bを参照して、WASノード100〜700から受信した角度値からWSCノード900が作成する第一のアンテナテーブル（図4A）と、各角度値から90度を減算した、第一の角度テーブルに対応する第二の角度テーブル（図4B）を説明する。
【００９８】
90度の減算は、WASノードごとに、ノードのメンブレン面から、音波の進行方向におけるWASノードのスピーカの音響放射軸への0度の角度基準軸を得る。
【００９９】
第一と第二の角度テーブルは、WSCノード900のEEPROM（またはFLASH）型のメモリ906に格納されて、WSCノード900のマイクロコントローラ907によって処理される。
【０１００】
WSCノード900は、受信WASノードに対応する角度値を行にまとめ、かつ、送信WASノードに対応する角度値を列にまとめて、第一のテーブルを作成する。その結果、他のWASノードがそれぞれ送信状態の、所定のWASノードの受信における異なる角度値は、第一のテーブルの、当該WASノードの行を読むことによって得られる。所定のWASノードが送信状態の、他のWASノードの受信における異なる角度値は、第一のテーブルの、所定のWASノードに対応する列を読むことによって得られる。
【０１０１】
第二の角度テーブルの目的は、次の識別を容易にすることである。チャネルCを復元（再生）すべきスピーカを備えるWASノード（このWASノードは、ネットワークの対称軸上に設置されている）の識別。FL、FR、SL、SR、RL、RRチャネルを復元（再生）すべきスピーカを備える他のWASノードの識別。
【０１０２】
図4Cは、所定のWASノードに対応する第二の角度テーブルの列ごとに、当該WASノードに対する符号付き最大角度値と符号付き最小角度値を示す図である。
【０１０３】
図5は、本発明の特定の実施例に従い、ネットワークのWASノード100〜700それぞれを識別し、かつ、WASノードそれぞれに適切なオーディオチャネルを割り当てるアルゴリズムの主なステップを示す。WSCノード900のマイクロコントローラ907により実現されるこのアルゴリズムは、WSCノード900のEEPROM（またはFLASH）型のメモリ906またはROM型のメモリ（不図示）に格納されている。
【０１０４】
ステップ70において、WSCノード900は、WASノード100〜700それぞれから受信したすべての角度値をアセンブルする。
【０１０５】
ステップ71において、WSCノード900は、（図4Aに示す）第一の角度テーブルを作成する。
【０１０６】
そして、ステップ72において、WSCノード900は、第一の角度テーブルの各角度値から90度を減算して（図4Bに示す）第二の角度テーブルを得る。図3を参照して上述した発見フェーズにおいて、WASノードが与える角度値が、音波の進行方向におけるスピーカの音響放射軸を0度の角度基準軸に使用する場合、ステップ72は省略される。
【０１０７】
そして、ステップ73において、WSCノード900は、ホームシネマネットワークのチャネルCを復元（再生）すべきスピーカを備えるWASノードの識別処理を初期化する。（チャネルCを復元（再生）すべきスピーカを備えるWASノードは、当該ノードとリスナ位置64を通る軸によって形成されるネットワークの対称軸上に位置する。）
【０１０８】
ステップ74において、図4Cに示すように、第二の角度テーブルの行が走査され、行ごとに、符号付き最大角度値と符号付き最小角度値が取得され、符号付き最大角度値と符号付き最小角度値との間の差分が算出される。そして、算出された差分は比較され、差分の最大値が選択される。
【０１０９】
最大差分に対応する行、つまりWASノードは、センタスピーカを備えるWASノードである。従って、ステップ75において、WASノード200がチャンネルCを復元（再生）すべきスピーカを備えるWASノードと識別される。
【０１１０】
ステップ76において、WSCノード900は、ホームシネマネットワークのFL、FR、SL、SR、RL、RRチャネルを復元（再生）すべきスピーカを備える他のWASノードの識別処理を初期化する。
【０１１１】
ステップ77において、チャネルCを復元（再生）すべきスピーカを備えるWASノードとして識別されたWASノード200の行が分析され、この行の符号付きアンテナ角度値が最小から最大に配列される。このように配列された符号付き角度値に対応するWASノードは、それぞれFR、SR、RR、RL、SL、FLチャネルを復元（再生）すべきスピーカを備えるWASノードである。
【０１１２】
従って、ステップ78において、WSCノード900は、以下に示すようにWASノードを識別する。
・WASノード300はFRチャネルを復元すべきスピーカを備えるWASノードと識別し、
・WASノード500はSRチャネルを復元すべきスピーカを備えるWASノードと識別し、
・WASノード700はRRチャネルを復元すべきスピーカを備えるWASノードと識別し、
・WASノード600はRLチャネルを復元すべきスピーカを備えるWASノードと識別し、
・WASノード400はSLチャネルを復元すべきスピーカを備えるWASノードと識別し、
・WASノード100はFLチャネルを復元すべきスピーカを備えるWASノードと識別する。
【０１１３】
そして、ステップ79において、WSCノード900は、識別した各WASノードに適したオーディオチャネルを割り当てる。
【０１１４】
本発明にかかる他の解決策は、例えば、第一の角度テーブルを使用するアルゴリズムに基づきWASノードを識別するために実現されてもよい。実際、第二の角度テーブルの判定は、チャネルCを復元すべきスピーカを備えるWASノードの識別と、チャネルFL、FR、SL、SR、RL、RRを復元すべきスピーカを備える他のWASノードの識別を容易にする基準系に従う、角度値の配置を可能にする。
【０１１５】
また、本発明にかかる他の解決策は、例えば、第二の角度テーブルの対称性を利用するアルゴリズムに基づきWASノードを識別するために実現されてもよい。実際、前述したように、第二の角度テーブルの目的は、チャネルCを復元（再生）すべきスピーカを備えるWASノード（このWASノードは、ネットワークの対称軸上に設置される）の識別と、他のWASノードの識別を容易にすることである。この特定の基準系における角度の取得は、WSCノード900が、スピーカノードごとに取得した角度が、それに関連するスピーカの音響放射軸に対してほぼ対称であるスピーカノードの判定を可能にする。基準系において図4Bは次を示す。WASノード200の受信を表す第二行を参照すると、WASノード100（その送信時、WASノード200のアンテナの指向は75度）と、WASノード300（その送信時、WASノード200のアンテナの指向は-76度）は、ほぼ対称である。WASノード400（その送信時、WASノード200のアンテナの指向は42度）と、WASノード500（その送信時、WASノード200のアンテナの指向は-42度である）は、ほぼ対称である。WASノード600（その送信時、WASノード200のアンテナの指向は14度）と、WASノード700（その送信時、WASノード200のアンテナの指向は-13度）は、ほぼ対称である。他の受信WASノードを表す行は、そのような対称性を示さない。
【０１１６】
別のネットワークにおけるスピーカを備えるWASノードの他の特定の配置のコンテキストにおいて、スピーカを識別するために、アンテナ角度値と組み合わす追加パラメータを実装してもよい。例えば、一つのリアスピーカのみが実装されるネットワークのコンテキストにおいて、RSSI (received signal strength inidcation)パラメータを使用してもよい。このような6.1システムにおいて、復元（再生）すべきオーディオチャネルは、FC、FL、FR、RC (rear center)、RL、RRである。FCチャネルが復元（再生）されるスピーカを備えるWASノードとリスナ位置を通る対称軸は、さらに、RCチャネルを復元（再生）するスピーカを備えるWASノードを通る。そして、WSCノード900は、RF信号の受信レベルを示すRSSIパラメータを使用して、FCチャネルを復元（再生）すべきスピーカを備えるWASノードと、RCチャネルを復元（再生）すべきスピーカを備えるWASノードを区別することができる。実際、RCチャネルを復元（再生）すべきスピーカを備えるWASノードは、WSCノード900に対して、FCチャネルを復元（再生）すべきスピーカを備えるWASノードより、遠い位置に設置される。従って、RCチャネルを復元すべきスピーカを備えるWASノードから到来する受信信号に関するRSSIパラメータの値は、FCチャネルを復元すべきスピーカを備えるWASノードから到来する受信信号に関するRSSIの値より、感知可能な程度に小さい。
【図面の簡単な説明】
【０１１７】
【図１】本発明の特定の実施例に従う割当方法を実装可能な7.1型無線ホームシネマネットワークを示す図、
【図２Ａ】本発明の特定の実施例に従うWASノード100の送信におけるアンテナの送信輻射パターンを示す図、
【図２Ｂ】本発明の特定の実施例に従うWASノード100の受信におけるアンテナの受信輻射パターンを示す図、
【図３】上述した7.1型無線ホームシネマネットワークにおけるWASノードとWSCノードの模範的な配置と、本発明の特定の実施例に従う発見フェーズを示す図、
【図４Ａ】WASノードから受信した角度値から、WSCノードが作成する第一のアンテナ角度テーブル示す図、
【図４Ｂ】各角度値から90度を減算した、第一の角度テーブルに対応する第二の角度テーブルを示す図、
【図４Ｃ】所定のWASノードに関する第二のテーブルの各行について、所定のWASノードに対する符号付き最大角度値と符号付き最小角度値を示す図、
【図５】本発明の特定に実施例に従い、ネットワークの各WASノードを識別して、WASノードに適切なオーディオチャネルを割り当てるアルゴリズムの主なステップを示す図である。
【図１】
0004522462.tif 000002
【図２Ａ】
0004522462.tif 000003
【図２Ｂ】
0004522462.tif 000004
【図３】
0004522462.tif 000005
【図４Ａ】
0004522462.tif 000006
【図４Ｂ】
0004522462.tif 000007
【図４Ｃ】
0004522462.tif 000008
【図５】
0004522462.tif 000009